(57)【要約】【課題】誤接続を検出するとともに、システム構築にかかるコストを削減することを課題とする。【解決手段】この光波長多重システムは、送信側光波長多重装置と受信側光波長多重装置と端末装置とが、光ファイバーケーブルで相互に通信可能に接続されて構成される。そして、送信側光波長多重装置は、入力された入力光信号をあらかじめ設定された任意の波長に変換して変換後光信号を生成する複数の光波長変換部が、所定の波長があらかじめ設定された複数のポートに接続される。このような構成において、光波長多重システムは、入力されて変換された変換後光信号の光パワーレベルと、多重化された多重化光信号から当該ポートに設定されている波長の光信号のパワーレベルとを比較して、比較結果に差異が検出されると、当該ポートに光波長変換部が誤接続されていると判定する。【選択図】        図１
2008147968.tif 000002
【特許請求の範囲】
【請求項１】
入力された入力光信号をあらかじめ設定された任意の波長に変換して変換後光信号を生成する複数の光波長変換部が、所定の波長があらかじめ設定された複数のポートに接続され、前記複数の光波長変換部により生成された変換後光信号を多重化した多重化光信号を生成して送信するとともに、受信した前記多重化光信号を所定の波長ごとに分離する光波長多重システムであって、
前記複数のポートそれぞれに接続され、前記各ポートに入力された前記変換後光信号の光パワーレベルを検出する複数の第一の光パワーレベル検出手段と、
前記複数のポートから入力された全ての前記変換後光信号を多重化して多重化光信号を生成する光信号多重化手段と、
前記複数のポートに設けられ、前記各ポートに入力された変換後光信号を前記光信号多重化手段に入力する複数の入力手段と、
前記第一の光パワーレベル検出手段により前記変換後の光パワーレベルが検出されるまで、前記変換後光信号を前記光信号多重化手段に入力しないように前記入力手段を制御し、前記第一の光パワーレベル検出手段により前記変換後の光パワーレベルが検出されると、前記変換後光信号を前記光信号多重化手段に入力するように前記入力手段を制御する入力制御手段と、
前記多重化光信号から、前記各ポートに設定されている所定の波長の多重化後の光パワーレベルを検出する第二の光パワーレベル検出手段と、
前記第一の光パワーレベル検出手段により検出された変換後の光パワーレベルと、前記第二の光パワーレベル検出手段により検出された多重化後の光パワーレベルとを比較し、比較した結果に差異が生じている場合に、前記各ポートに設定される所定の波長とは異なる波長に変換する光波長変換部が誤接続されていると検出する誤接続検出手段と、
を備えたことを特徴とする光波長多重システム。
【請求項２】
前記光信号多重化手段により多重化された多重化光信号を分岐する光分岐手段をさらに備え、
前記第二の光パワーレベル検出手段は、前記光分岐手段により分岐された分岐後光信号から前記各ポートに設定されている所定の波長の分岐後の光パワーレベルを検出し、
前記誤接続検出手段は、前記第一の光パワーレベル検出手段により検出された変換後の光パワーレベルと、前記第二の光パワーレベル検出手段により検出された分岐後の光パワーレベルとを比較し、比較した結果に差異が生じている場合に、前記各ポートに設定される所定の波長とは異なる波長に変換する光波長変換部が誤接続されていると検出することを特徴とする請求項１に記載の光波長多重システム。
【請求項３】
前記誤接続検出手段は、前記多重化光信号の受信側装置において、受信された多重化光信号が前記所定の波長ごとに分離された後の受信後光パワーレベルを受信して、受信した受信後光パワーレベルと、前記第一の光パワーレベル検出手段により検出された変換後の光パワーレベルとを比較し、比較した結果に差異が生じている場合に、前記各ポートに設定される所定の波長とは異なる波長に変換する光波長変換部が誤接続されていると検出することを特徴とする請求項１に記載の光波長多重システム。
【請求項４】
前記入力制御手段は、前記誤接続検出手段により前記誤接続が検出された場合に、前記ポートに接続される前記入力手段に対して、前記変換後光信号を前記光信号多重化手段に入力しないように制御することを特徴とする請求項１〜３のいずれか一つに記載の光波長多重システム。
【請求項５】
前記誤接続検出手段は、前記誤接続を検出した場合に、前記複数のポートそれぞれに設定されている前記所定の波長を検索して、前記ポートに誤接続されている前記光波長変換部の正常な接続先ポートを検出することを特徴とする請求項１〜４のいずれか一つに記載の光波長多重システム。
【発明の詳細な説明】
【技術分野】
【０００１】
この発明は、入力された入力光信号をあらかじめ設定された任意の波長に変換して変換後光信号を生成する複数の光波長変換部が、所定の波長があらかじめ設定された複数のポートに接続され、複数の光波長変換部により生成された変換後光信号を多重化した多重化光信号を生成して送信するとともに、受信した多重化光信号を所定の波長ごとに分離する光波長多重システムに関する。
【背景技術】
【０００２】
従来より、インターネットの普及に伴い、画像や動画などの高容量データの伝送が頻繁に行われている。このような高容量データを高速に伝送させるために、高速ネットワーク通信を実現するｘＤＳＬ技術（x  Digital  Subscriber  Line）を用いたネットワーク回線が一般的に多く使用されているが、最近では、さらに高速なネットワークである光ファイバーケーブルを用いたＦＴＴＨ（Fiber  To  The  Home）などの光ネットワークも使用されている。
【０００３】
そして、このような光ファイバーケーブルを有効的に利用する技術として、ＷＤＭ（Wavelength  Division  Multiplex）が注目されている。このＷＤＭとは、一本の光ファイバーケーブル上に波長の異なる複数の信号を伝送させる、つまり、波長の違う複数の光信号を同時に利用することにより、光ファイバーケーブルの伝送容量を拡大させる技術である。
【０００４】
このＷＤＭを用いて任意の波長の光信号を挿入し、当該光信号を分岐して受信する光分岐挿入装置（ＯＡＤＭ：Optical  Add  and  Drop  Multiplexing）を備える光波長多重システムでは、複数のポートに対してそれぞれ個別に周波数を割り当てる。そして、各ポートには、入力された光信号を割り当てられた周波数の光信号に変換（出力）する光波長変換機が接続される。
【０００５】
つまり、それぞれのポートには、割り当てられた周波数を出力する光波長変換機を間違えることなく接続させる必要がある。ところが、近年、ＯＡＤＭにおいて多重させる光波長の数が増加していることから、ＯＡＤＭが多くのポートを有するようになり、それぞれのポートに割り当てられた光波長分割多重可能な波長とは異なる波長を出力する光波長変換機を接続すること（誤接続）が多発している。そこで、このような誤接続を検出する様々な技術が開示されている。
【０００６】
例えば、特許文献１（特開２００４−３２０８８号公報）では、光波長を合成する際に、波長依存性があるアレイ導波路格子（ＡＷＧ）を用いることで誤接続を検出する技術が開示されている。具体的には、ＡＷＧは、波長依存性があるため、各ポートに割り当てた波長と異なる波長の光信号が入力されると、当該光信号を通過させない特性がある。この特性を利用して、波長が割り当てられたＡＷＧの各ポートの光パワーレベルと、各ポートを介して入力された各波長の光信号を多重化して分岐した光パワーレベルとを比較することで、誤接続を検出する。つまり、誤接続のポートが存在する場合、多重化前の光パワーレベルと多重化後（合波後）の光パワーレベルとに誤差が生じるため、この誤差を検出することで、ポートの誤接続を検出している。
【０００７】
【特許文献１】特開２００４−３２０８８号公報
【発明の開示】
【発明が解決しようとする課題】
【０００８】
ところで、上記した従来の技術である特許文献１では、アレイ導波路格子（ＡＷＧ）が非常に高価であるため、このような光波長多重システムを構築するのにコストが高くなるという課題があった。
【０００９】
そこで、この発明は、上述した従来技術の課題を解決するためになされたものであり、誤接続を検出することが可能であるとともに、システム構築にかかるコストを削減することが可能である光波長多重システムを提供することを目的とする。
【課題を解決するための手段】
【００１０】
上述した課題を解決し、目的を達成するため、請求項１に係る発明は、入力された入力光信号をあらかじめ設定された任意の波長に変換して変換後光信号を生成する複数の光波長変換部が、所定の波長があらかじめ設定された複数のポートに接続され、前記複数の光波長変換部により生成された変換後光信号を多重化した多重化光信号を生成して送信するとともに、受信した前記多重化光信号を所定の波長ごとに分離する光波長多重システムであって、前記複数のポートそれぞれに接続され、前記各ポートに入力された前記変換後光信号の光パワーレベルを検出する複数の第一の光パワーレベル検出手段と、前記複数のポートから入力された全ての前記変換後光信号を多重化して多重化光信号を生成する光信号多重化手段と、前記複数のポートに設けられ、前記各ポートに入力された変換後光信号を前記光信号多重化手段に入力する複数の入力手段と、前記第一の光パワーレベル検出手段により前記変換後の光パワーレベルが検出されるまで、前記変換後光信号を前記光信号多重化手段に入力しないように前記入力手段を制御し、前記第一の光パワーレベル検出手段により前記変換後の光パワーレベルが検出されると、前記変換後光信号を前記光信号多重化手段に入力するように前記入力手段を制御する入力制御手段と、前記多重化光信号から、前記各ポートに設定されている所定の波長の多重化後の光パワーレベルを検出する第二の光パワーレベル検出手段と、前記第一の光パワーレベル検出手段により検出された変換後の光パワーレベルと、前記第二の光パワーレベル検出手段により検出された多重化後の光パワーレベルとを比較し、比較した結果に差異が生じている場合に、前記各ポートに設定される所定の波長とは異なる波長に変換する光波長変換部が誤接続されていると検出する誤接続検出手段と、を備えたことを特徴とする。
【００１１】
また、請求項２に係る発明は、上記の発明において、前記光信号多重化手段により多重化された多重化光信号を分岐する光分岐手段をさらに備え、前記第二の光パワーレベル検出手段は、前記光分岐手段により分岐された多重化光信号から前記各ポートに設定されている所定の波長の分岐後の光パワーレベルを検出し、前記誤接続検出手段は、前記第一の光パワーレベル検出手段により検出された変換後の光パワーレベルと、前記第二の光パワーレベル検出手段により検出された分岐後の光パワーレベルとを比較し、比較した結果に差異が生じている場合に、前記各ポートに設定される所定の波長とは異なる波長に変換する光波長変換部が誤接続されていると検出することを特徴とする。
【００１２】
また、請求項３に係る発明は、上記の発明において、前記誤接続検出手段は、前記多重化光信号の受信側装置において、受信された多重化光信号が前記所定の波長ごとに分離された後の受信後光パワーレベルを受信して、受信した受信後光パワーレベルと、前記第一の光パワーレベル検出手段により検出された変換後の光パワーレベルとを比較し、比較した結果に差異が生じている場合に、前記各ポートに設定される所定の波長とは異なる波長に変換する光波長変換部が誤接続されていると検出することを特徴とする。
【００１３】
また、請求項４に係る発明は、上記の発明において、前記入力制御手段は、前記誤接続検出手段により前記誤接続が検出された場合に、前記ポートに接続される前記入力手段に対して、前記変換後光信号を前記光信号多重化手段に入力しないように制御することを特徴とする。
【００１４】
また、請求項５に係る発明は、上記の発明において、前記誤接続検出手段は、前記誤接続を検出した場合に、前記複数のポートそれぞれに設定されている前記所定の波長を検索して、前記ポートに誤接続されている前記光波長変換部の正常な接続先ポートを検出することを特徴とする。
【発明の効果】
【００１５】
請求項１の発明によれば、複数のポートそれぞれに接続され、各ポートに入力された変換後光信号の光パワーレベルを検出し、複数のポートから入力された全ての変換後光信号を多重化して多重化光信号を生成し、複数のポートに設けられ、各ポートに入力された変換後光信号を入力し、変換後の光パワーレベルが検出されるまで、変換後光信号を入力しないように制御し、変換後の光パワーレベルが検出されると、変換後光信号を入力するように制御し、多重化光信号から、各ポートに設定されている所定の波長の多重化後の光パワーレベルを検出し、検出された変換後の光パワーレベルと、検出された多重化後の光パワーレベルとを比較し、比較した結果に差異が生じている場合に、各ポートに設定される所定の波長とは異なる波長に変換する光波長変換部が誤接続されていると検出するので、誤接続を検出することが可能であるとともに、システム構築にかかるコストを削減することが可能である。
【００１６】
例えば、入力手段として光スイッチを用い、光信号多重化手段として光カプラ（ＣＰＬ）を用いて、ポート誤接続を検出することができる結果、高価なアレイ導波路格子（ＡＷＧ）を用いて誤接続を検出する場合に比べて、システム構築にかかるコストを削減することが可能である。さらに、当該システムを停止させることなく、誤接続されている光ファイバーケーブルを正しい接続先に接続しなおしたり、光ファイバーケーブルに伝送されている波長に合わせて、ポートの設定を変更することが可能である。
【００１７】
また、請求項２の発明によれば、多重化された多重化光信号を分岐し、分岐された多重化光信号から各ポートに設定されている所定の波長の分岐後の光パワーレベルを検出し、検出された変換後の光パワーレベルと、検出された分岐後の光パワーレベルとを比較し、比較した結果に差異が生じている場合に、各ポートに設定される所定の波長とは異なる波長に変換する光波長変換部が誤接続されていると検出するので、送信側の光波長多重システム内で、誤接続を検出することができる結果、システム構築にかかるコストをより削減することが可能である。
【００１８】
例えば、光信号切替手段として光スイッチを用い、光信号多重化手段として光カプラ（ＣＰＬ）を用いた場合、誤接続により誤った波長の光信号も多重化されてしまうので、多重化光信号を送信する前に、送信側の光波長多重システム内で誤接続を検出することで、システム構築にかかるコストをより削減することが可能であるとともに、多重化された光信号および当該光波長多重システムの品質劣化を防止することが可能である。
【００１９】
また、請求項３の発明によれば、多重化光信号の受信側装置において、受信された多重化光信号が所定の波長ごとに分離された後の受信後光パワーレベルを受信して、受信した受信後光パワーレベルと、検出された変換後の光パワーレベルとを比較し、比較した結果に差異が生じている場合に、各ポートに設定される所定の波長とは異なる波長に変換する光波長変換部が誤接続されていると検出するので、誤接続を検出することが可能であるとともに、コストをさらに削減することが可能である。
【００２０】
例えば、光波長多重システムで一般的に用いられる受信した多重化光信号を分離して、分離した波長ごとに検出される分離後光パワーレベルをフィードバックで受信して、誤接続を検出するので、通常の光波長多重システムに新たに機能を追加する必要がない結果、コストをさらに削減することが可能である。
【００２１】
また、請求項４の発明によれば、誤接続が検出された場合に、変換後光信号を入力しないように制御するので、多重化された光信号および当該光波長多重システムの品質劣化を防止することが可能である。
【００２２】
例えば、光パワーレベルが異なる波長を多重化する場合に比べて、光パワーレベルを一定にして多重化した方が、品質の良い多重化光信号を送信することができる。
【００２３】
また、請求項５の発明によれば、誤接続を検出した場合に、複数のポートそれぞれに設定されている所定の波長を検索して、ポートに誤接続されている光波長変換部の正常な接続先ポートを検出するので、多重化する際に、誤って入力された波長の光信号の混入を防止することができる結果、多重化された光信号および当該光波長多重システムの品質劣化を防止することが可能である。
【００２４】
例えば、光信号切替手段として光スイッチまたはＶＯＡ（Variable  Optical  Attenuator）を用いた場合、誤って入力された波長の光信号も光スイッチを通過してしまい、光信号多重化手段によって誤った光信号が混入された状態で多重化されるために、誤接続されているポートに接続される光信号切替手段の状態を停止状態にすることで、多重化する際に、誤って入力された波長の光信号の混入を防止することができる結果、多重化された光信号および当該光波長多重システムの品質劣化を防止することが可能である。
【発明を実施するための最良の形態】
【００２５】
以下に添付図面を参照して、この発明に係る光波長多重システムの実施例を詳細に説明する。なお、以下の実施例で用いる主要な用語、実施例１に係る光波長多重システムの概要および特徴、実施例１に係る光波長多重システムの構成および処理の手順、実施例１の効果を順に説明し、続いて、他の実施例について説明する。
【実施例１】
【００２６】
［用語の説明］
まず最初に、本実施例で用いる主要な用語を説明する。本実施例で用いる「光波長多重システム」とは、光通信ネットワークを実現するシステムであって、送信側光波長多重装置と受信側光波長多重装置とから構成され、送信側と受信側とを接続する光ファイバーケーブル上に波長の異なる複数の信号を伝送させる、つまり、波長の違う複数の光信号を同時に利用することにより、光ファイバーケーブルの伝送容量を拡大させるシステムのことである。なお、「光波長多重システム」は、特許請求の範囲に記載の「光波長多重システム」に対応する。
【００２７】
ここで、「送信側光波長多重装置」と「受信側光波長多重装置」とについて説明すると、「送信側光波長多重装置」は、端末装置から入力された光信号を「光波長変換部」によって任意の波長に変換し、変換された光信号を「光波長多重ユニット」によって多重化したのち、「送信光増幅ユニット」において多重化された光信号を伝送可能な光レベルに増幅させて、受信側光波長多重装置に送信する。
【００２８】
また、「受信側光波長多重装置」は、送信側光波長多重装置から送信され劣化した多重化光信号を「受信光増幅ユニット」で増幅させて、「光波長分離ユニット」において当該多重化光信号を多重化する前の所定に波長に分離して、分離された光信号を「光波長変換部」によって元の光信号に逆変換して、端末装置に送信する。
【００２９】
そして、「送信側光波長多重装置」の「光波長多重化ユニット」および「受信側光波長多重装置」の「光波長分離ユニット」は、それぞれ「光波長変換部」と接続するための複数のポートを有している。それぞれのポートには、入力される波長があらかじめ設定されており、ポートに接続される「光波長変換部」には、接続先のポートに設定されている波長に変換するように、あらかじめ変換する波長が設定されている。こうすることにより、送信側光波長多重化装置は、あらかじめ定められた波長に変換された光信号が入力されて多重化して送信し、受信側光波長多重化装置では、多重化された光信号をもとの波長の光信号に変換して、光信号を取得することとなる。もっとも、ポートに設定されている波長と異なる波長の光信号が入力されたとしても、送信側光波長多重化装置は、光信号を多重化して送信するが、受信側光波長多重化装置では、当該光信号を受信して分離する場合に、正常に分離できないなどの問題が発生する。
【００３０】
なお、本実施例では、便宜上、送信側光波長多重装置と受信側光波長多重装置とに分けて説明するが、本発明はこれに限定されるものではなく、本実施例で説明する受信側光波長多重システムが多重化した光信号を送信するようにしてもよく、あくまで、光信号を多重化して送信する装置が送信側光波長多重装置であり、多重化された光信号を受信する装置が受信側光波長多重装置となる。
【００３１】
また、「端末装置」とは、光信号を光波長多重システムに送信したり、光波長多重システムから光信号を受信したりする装置である。具体的には、あらかじめ設定された任意の波長に光信号を変換する光波長変換部に接続される。そして、端末装置が送信した光信号は、光波長変換部により任意の波長に変換されて、送信側光波長多重装置の各ポートに入力される。
【００３２】
［光波長多重システムの概要および特徴］
次に、図１を用いて、実施例１に係る光波長多重システムの概要および特徴を説明する。図１は、実施例１に係る光波長多重システムの概要と特徴を説明するための図である。
【００３３】
図１に示すように、この光波長多重システムは、送信側光波長多重装置と受信側光波長多重装置と端末装置とが、光ファイバーケーブルで相互に通信可能に接続されて構成される。そして、送信側光波長多重装置は、入力された入力光信号をあらかじめ設定された任意の波長に変換して変換後光信号を生成する複数の光波長変換部が、所定の波長があらかじめ設定された複数のポートに接続される。
【００３４】
具体的には、ポートＡ〜ポートＣには、波長λ１〜λ３がそれぞれ設定される。そして、波長λ１が設定されたポートＡには、入力された光信号を波長λ１の光波長に変換する光波長変換部が接続されている。また、波長λ２が設定されたポートＢには、入力された光信号を波長λ３に変換する光波長変換部が接続されている。つまり、ポートＢには、波長λ２に変換する光波長変換部が設定されていなければならないが、ここでは、波長λ３に変換する光波長変換部が誤って接続されている。
【００３５】
このような構成のもと、実施例１に係る光波長多重システムは、上記したように、複数の光波長変換部により生成された変換後光信号を多重化した多重化光信号を生成して送信するとともに、受信した多重化光信号を所定の波長ごとに分離することを概要とするものであり、特に、誤接続を検出することが可能であるとともに、システム構築にかかるコストを削減することが可能である点に主たる特徴がある。
【００３６】
この主たる特徴を具体的に説明すると、送信側光波長の変換多重装置は、変換後の光パワーレベルが検出されるまで、入力部が変換後光信号を光多重化部に入力しないように入力部を制御する。そして、端末装置１により送信された光信号を受信した送信側光波長多重装置の光波長変換部は、当該光信号を波長λ１の光信号に変換して、ポートＡに当該変換後光信号を出力する（図１の（１）と（２）参照）。
【００３７】
すると、送信側光波長多重装置は、各ポートに入力された変換後光信号の光パワーレベルを検出する（図１の（３）参照）。具体的には、送信側光波長多重装置の光パワーレベル検出部１は、ポートＡに入力された波長λ１の変換後光信号の光パワーレベルを検出する。
【００３８】
続いて、送信側光波長多重装置は、変換後の光パワーレベルが検出されると、入力部が変換後光信号を光多重化部に入力するように入力部を制御する（図１の（４）参照）。上記した例で具体的に説明すると、送信側光波長多重装置の入力制御部は、ポートＡに入力された変換後の光パワーレベルが検出されると、入力部１が変換後光信号を光多重化部に入力するように入力部１を制御する。
【００３９】
そして、送信側光波長多重装置は、各ポートに入力された変換後光信号を光多重化部に入力し、複数のポートから入力された全ての変換後光信号を多重化して多重化光信号を生成する（図１の（５）と（６）参照）。上記した例で具体的に説明すると、送信側光波長多重装置は、ポートＡに入力された波長λ１に変換された変換後光信号を光多重化部に入力し、送信側光波長多重装置の光多重化部は、入力された全ての変換後光信号を多重化して多重化光信号を生成して、送信光増幅ユニットに出力する。
【００４０】
その後、送信側光波長多重装置は、光多重化部により多重化された多重化光信号を分岐し、分岐された多重化光信号から各ポートに設定されている所定の波長の分岐化後の光パワーレベルを検出する（図１の（７）と（８）参照）。上記した例で具体的に説明すると、送信側光波長多重装置の光分岐部は、光多重化部により多重化された多重化光信号を分岐し、送信側光波長多重装置の光パワーレベル検出部は、分岐された多重化光信号からポートＡに設定されている波長λ１の分岐後の光パワーレベルを検出する。
【００４１】
そして、送信側光波長多重装置は、検出された変換後の光パワーレベルと、検出された分岐後の光パワーレベルとを比較し、比較した結果に差異が生じている場合に、各ポートに設定される所定の波長とは異なる波長に変換する光波長変換部が誤接続されていると検出する（図１の（９）参照）。上記した例で具体的に説明すると、送信側光波長多重装置の誤接続検出部は、ポートＡに入力された波長λ１に変換された変換後の光パワーレベルと、多重化部により多重化された多重化光信号を分岐し、分岐された多重化光信号からポートＡに設定されている波長λ１の波長の多重化後の光パワーレベルとを比較する。続いて、送信側光波長多重装置は、検出した変換後の光パワーレベルと、分岐後の光パワーレベルとの両方の光信号が、波長λ１に変換された光波長であることより、二つの光パワーレベルに差異がなく、波長λ１が設定されたポートＡに、光信号を波長λ１に変換する光波長変換部が正常に接続されていると判定する。
【００４２】
上記した手法と同様に、端末装置２から光信号が送信された場合に、送信側光波長多重装置は、端末装置２が接続される光波長変換部２が誤接続されているか否かを判定する。
【００４３】
具体的に説明すると、端末装置２により送信された光信号を受信した送信側光波長多重装置の光波長変換部は、当該光信号を波長λ３の光信号に変換して、ポートＢに当該変換後光信号を出力し、ポートＢに入力された波長λ３の変換後光信号の光パワーレベルを検出する（図１の（１０）〜（１２）参照）。
【００４４】
その後、送信側光波長多重装置は、変換後の光パワーレベルが検出されると、入力部２が変換後光信号を光多重化部に入力するように入力部２を制御し、ポートＡおよびポートＢに入力された変換後光信号を光多重化部に入力し、ポートＡとポートＢから入力された全ての変換後光信号を多重化して多重化光信号を生成して、光多重化部により多重化された多重化光信号を分岐し、分岐された分岐後の光信号からポートＢに設定されている波長λ２の分岐後の光パワーレベルを検出する（図１の（１３）〜（１７）参照）。
【００４５】
そして、送信側光波長多重装置の誤接続検出部は、検出された変換後の光パワーレベルと、検出された分岐後の光パワーレベルとを比較し、比較した結果に差異が生じている場合に、ポートＢに設定される波長λ２とは異なる波長に変換する光波長変換部が誤接続されていると検出する（図１の（１８）参照）。
【００４６】
具体的には、送信側光波長多重装置の誤接続検出部は、ポートＢに入力された波長λ３に変換された変換後の光パワーレベルと、多重化部により多重化された多重化光信号を分岐し、分岐された多重化光信号からポートＢに設定されている波長λ２の波長の分岐後の光パワーレベルとを比較することになり、異なる波長の光パワーレベルを検出していることより、両者の光パワーレベルの差異を検出する。そして、送信側光波長多重装置の誤接続検出部は、ポートＢに設定される波長λ２とは異なる波長に変換する光波長変換部が誤接続されていると検出する。
【００４７】
なお、上記した例では、ポートＡに入力された光信号から誤接続を検出した後に、ポートＢに入力された光信号から誤接続を検出する場合について説明したが、本発明はこれに限定されるものではなく、同時にポートＡ、ポートＢに入力された光信号から誤接続を検出するようにしてもよい。
【００４８】
このように、実施例１に係る光波長多重システムは、入力された入力光信号をあらかじめ設定された任意の波長に変換して変換後光信号を生成する複数の光波長変換部が、所定の波長があらかじめ設定された複数のポートに接続され、複数の光波長変換部により生成された変換後光信号を多重化した多重化光信号を生成して送信するのに際して、上記した主たる特徴のごとく、誤接続を検出することが可能であるとともに、システム構築にかかるコストを削減することが可能である。
【００４９】
［光波長多重システムの構成］
次に、図２を用いて、図１に示した光波長多重システムの構成を説明する。図２は、実施例１に係る光波長多重システムの構成を示すブロック図である。図２に示すように、光波長多重システムは、送信側光波長多重装置１０と、受信側光波長多重装置７０とから構成される。
【００５０】
（送信側光波長多重装置１０の構成）
送信側光波長多重装置１０は、記憶部１１と、光波長変換部１２〜１４と、光波長多重ユニット２０と、送信光増幅ユニット４０と、光スペクトル監視部５０と、光レベル監視制御部６０とから構成される。
【００５１】
記憶部１１は、後述するポートＡ２１〜ポートＣ２３に設定される波長を記憶する。具体的には、図３に示したように、『ポートを特定する「ポート番号」、設定する波長を示す「波長」』として「ポートＡ、λ１」「ポートＢ、λ２」「ポートＣ、λ３」などと記憶する。なお、図３は、記憶部に記憶される情報の例を示す図である。
【００５２】
光波長変換部１２〜１４は、入力された入力光信号をあらかじめ設定された任意の波長に変換する。具体的には、光波長変換部１２〜１４は、利用者などによって、あらかじめ変換する波長としてλ１やλ２などと設定され、入力された入力光信号を設定されている波長（λ１やλ２など）の波長に変換する。例を挙げると、光波長変換部１２には、波長λ１が設定されており、光波長変換部１３には、波長λ３が設定されており、光波長変換部１４には、波長λ２が設定されている。
【００５３】
光波長多重ユニット２０は、特に本発明に密接に関連するものとしては、ポートＡ２１〜Ｃ２３と、ＰＤ２４〜２６と、光スイッチ２７〜２９と、光カプラ３０とを有し、光波長変換部１２〜１４から各ポートに入力された変換後光信号を多重化した多重化光信号を生成し、後述する送信光増幅ユニット４０に送信する各種制御を行う。
【００５４】
ポートＡ２１〜ポートＣ２３は、所定の波長があらかじめ設定され、光波長変換部１２〜１４により変換された変換後光信号が入力されて、後述するＰＤ２４〜ＰＤ２６に当該変換後光信号を出力する。上記した例で具体的に説明すると、ポートＡ２１には、波長λ１が設定されている光波長変換部１２と、ＰＤ２４とが接続され、ポートＢ２２には、波長λ３が設定されている光波長変換部１３と、ＰＤ２５とが接続され、ポートＣ２３は、波長λ２が設定されている光波長変換部１４と、ＰＤ２６とが接続されている。そして、ポートＡ２１は、光波長変換部１２により波長λ１に変換された変換後光信号が入力され、当該変換後光信号をＰＤ２４に出力する。同様に、ポートＢ２２は、光波長変換部１３により波長λ３に変換された変換後光信号が入力され、当該変換後光信号をＰＤ２５に出力し、ポートＣ２３は、光波長変換部１４により波長λ２に変換された変換後光信号が入力され、当該変換後光信号をＰＤ２６に出力する。
【００５５】
なお、ここでは、ポートＡ２１〜ポートＣ２３までの、三つのポートを有している場合について説明するが、本発明はこれに限定されるものではなく、四つのポートを有していてもよく、ポートの数に制限はない。また、ポートの数だけ、各ポートに接続される光波長変換部が接続されていてもよく、一つの光波長変換部が複数のポートに接続されていてもよい。一つの光波長変換部が複数のポートに接続されている場合、各ポートには異なる波長が設定されているため、光波長変換部は、複数の光波長が設定されており、各ポートには異なる波長に変換した光信号を入力することとなる。
【００５６】
ＰＤ２４〜ＰＤ２６は、複数のポートそれぞれに接続され、各ポートに入力された変換後光信号の光パワーレベルを検出するＬＳＩ（Large  Scale  Integration）などの回路である。上記した例で具体的に説明すると、ＰＤ２４は、ポートＡ２１に接続され、光波長変換部１２により波長λ１に変換された変換後光信号が、ポートＡ２１から入力されて、当該入力された変換後光信号の光パワーレベルを検出して、後述する光レベル監視制御部６０に通知する。同様に、ＰＤ２５は、ポートＢ２２に接続され、光波長変換部１３より波長λ３に変換された変換後光信号が、ポートＢ２２から入力されて、当該入力された変換後光信号の光パワーレベルを検出して、後述する光レベル監視制御部６０に通知し、ＰＤ２６は、ポートＣ２３に接続され、光波長変換部１４より波長λ３に変換された変換後光信号が、ポートＣ２３から入力されて、当該入力された変換後光信号の光パワーレベルを検出して、後述する光レベル監視制御部６０に通知する。なお、これらＰＤ２４〜ＰＤ２６は、特許請求の範囲に記載の「第一の光パワーレベル検出手段」に対応する。
【００５７】
光スイッチ２７〜２９は、各ポートに入力された変換後光信号を後述する光カプラ３０に入力する。上記した例で具体的に説明すると、後述する光レベル監視制御部６０から変換後光信号を光カプラ３０に入力するように制御されると、光スイッチ２７は、ＰＤ２４から入力された波長λ１に変換された変換後光信号を光カプラ３０に入力する。同様に、光スイッチ２８は、ＰＤ２５から入力された波長λ３に変換された変換後光信号を光カプラ３０に入力し、光スイッチ２９は、ＰＤ２６から入力された波長λ２に変換された変換後光信号を光カプラ３０に入力する。ここで、ポート２には波長λ２が設定されているため、正常ならば波長λ２に変換された変換後光信号がＰＤ２５を介して光スイッチ２８に入力されることとなるが、この例では、波長λ３に変換する光波長変換部１３が接続されているため、波長λ３に変換された変換後光信号が光スイッチ２８に入力されることとなる。ところが、この光スイッチ２７〜２９は、あくまで光信号を伝送するための機能であるため、間違った波長に変換された変換後光信号が入力されても、その変換後光信号を光カプラ３０に入力する。なお、この例では、光スイッチが三つの場合について説明するが、本発明はこれに限定されるものではなく、光波長多重システムは、ポートの数だけ光スイッチを有することとなる。また、これら光スイッチ２７〜２９は、特許請求の範囲に記載の「入力手段」に対応する。
【００５８】
光カプラ３０は、複数のポートから入力された全ての変換後光信号を多重化して多重化光信号を生成する。上記した例で具体的に説明すると、ポートＡ２１〜ポートＣ２３から入力された波長λ１〜λ３に変換された変換後光信号が光スイッチ２７〜２９を介してそれぞれ入力されると、光カプラ３０は、入力された全ての変換後光信号を多重化して、後述する送信光増幅ユニット４０に出力する。ここで、光カプラ３０は、各ポートに設定されている波長とは異なる波長に変換された変換後光信号が入力された場合でも、入力された全ての変換後光信号を多重化して、送信光増幅ユニット４０に出力する。なお、光カプラ３０は、特許請求の範囲に記載の「光信号多重化手段」に対応する。
【００５９】
送信光増幅ユニット４０は、特に本発明に密接に関連するものとしては、ＰＤ４１と、光分岐部４２と、光増幅部４３とを有し、ＰＤ４１に入力された多重化光信号を増幅して受信側光波長多重化装置７０に送信する。ＰＤ４１は、光波長多重ユニット２０から出力された多重化光信号を後述する光分岐部４２に出力するＬＳＩなどの回路である。上記した例で具体的に説明すると、ＰＤ４１は、光波長多重ユニット２０の光カプラ３０から出力された多重化光信号を受け付けて、当該多重化光信号を光分岐部４２に出力する。
【００６０】
光分岐部４２は、光波長多重ユニット２０の光カプラ３０により多重化された多重化光信号を分岐する。上記した例で具体的に説明すると、光分岐部４２は、光波長多重ユニット２０の光カプラ３０により多重化された多重化光信号をＰＤ４１を介して受信すると、当該多重化光信号を後述する光スペクトル監視部５０と、光増幅部４３とに分岐して、それぞれに当該多重化光信号を出力する。なお、光分岐部４２は、特許請求の範囲に記載の「光分岐手段」に対応する。
【００６１】
光増幅部４３は、多重化光信号を伝送可能な光レベルに増幅させて、受信側光波長多重装置７０に送信する。上記した例で具体的に説明すると、光分岐部４２により分岐された入力された多重化光信号は、光レベルが約半分近く劣化しているため、伝送することができない。そのため、光増幅部４３は、光分岐部４２により分岐された入力された多重化光信号を伝送可能な光レベル（例えば、入力されたレベルの約２倍など）に増幅させて、受信側光波長多重装置７０に送信する。
【００６２】
光スペクトル監視部５０は、光分岐部４２により分岐された多重化光信号から各ポートに設定されている所定の波長の多重化後の光パワーレベルを検出する。上記した例で具体的に説明すると、光スペクトル監視部５０は、光分岐部４２により分岐された多重化光信号から、ポートＡ２１に設定されている波長λ１の多重化後の光パワーレベルを検出して後述する光レベル監視制御部６０に送信する。同様に、光スペクトル監視部５０は、ポートＢ２２に設定されている波長λ２の多重化後の光パワーレベルを検出して後述する光レベル監視制御部６０に送信し、ポートＣ２３に設定されている波長λ３の多重化後の光パワーレベルを検出して後述する光レベル監視制御部６０に送信する。なお、光スペクトル監視部５０は、特許請求の範囲に記載の「第二の光パワーレベル検出手段」に対応する。
【００６３】
光レベル監視制御部６０は、ＰＤ２４〜ＰＤ２６により変換後の光パワーレベルが検出されるまで、光スイッチ２７〜２９が変換後光信号を光カプラ３０に入力しないように光スイッチ２７〜２９を制御し、ＰＤ２４〜ＰＤ２６により変換後の光パワーレベルが検出されると、光スイッチ２７〜２９が変換後光信号を光カプラ３０に入力するように光スイッチ２７〜２９を制御するとともに、ＰＤ２４〜ＰＤ２６により検出された変換後の光パワーレベルと、光スペクトル監視部５０により検出された分離後の光パワーレベルとを比較し、比較した結果に差異が生じている場合に、各ポートに設定される所定の波長とは異なる波長に変換する光波長変換部が誤接続されていると検出する。
【００６４】
上記した例で具体的に説明すると、光レベル監視制御部６０は、ＰＤ２４〜ＰＤ２６により変換後の光パワーレベルが検出されるまで、光スイッチ２７〜２９が変換後光信号を光カプラ３０に入力しないように光スイッチ２７〜２９を停止状態にしておき、ＰＤ２４〜ＰＤ２６により変換後の光パワーレベルが検出されると、光スイッチ２７〜２９が変換後光信号を光カプラ３０に入力するように光スイッチ２７〜２９を起動制御する。
【００６５】
また、光レベル監視制御部６０は、ＰＤ２４により検出された波長λ１の変換後の光パワーレベルと、光スペクトル監視部５０により検出されたポートＡ２１に設定されている波長λ１の分離後の光パワーレベルとを比較することになり、両方ともが波長λ１に変換された光波長であることより、二つの光パワーレベルに差異がなく、波長λ１が設定されたポートＡ２１に、光信号を波長λ１に変換する光波長変換部が正常に接続されていると判定する。また、光レベル監視制御部６０は、ＰＤ２５により検出された波長λ３の変換後の光パワーレベルと、光スペクトル監視部５０により検出されたポートＢ２２に設定されている波長λ２の分離後の光パワーレベルとを比較することになり、異なる波長の光パワーレベルを検出していることより、両者の光パワーレベルから差異を検出するので、ポートＢ２２に設定される波長λ２とは異なる波長に変換する光波長変換部が誤接続されていると検出する。同様に、光レベル監視制御部６０は、ＰＤ２６により検出された波長λ２の変換後の光パワーレベルと、光スペクトル監視部５０により検出されたポートＣ２３に設定されている波長λ３の分離後の光パワーレベルとを比較することになり、異なる波長の光パワーレベルを検出していることより、両者の光パワーレベルから差異を検出するので、ポートＣ２３に設定される波長λ３とは異なる波長に変換する光波長変換部が誤接続されていると検出する。なお、光レベル監視制御部６０は、特許請求の範囲に記載の「入力制御手段」と「誤接続検出手段」とに対応する。
【００６６】
（受信側光波長多重装置７０の構成）
受信側光波長多重装置７０は、記憶部７１と、受信光増幅ユニット７２と、光波長分離ユニット７４と、光波長変換部８２〜８４と、光レベル監視部８５とから構成される。記憶部７１は、送信側光波長多重装置１０の記憶部１１と同様に、送信側光波長多重装置１０のポートＡ２１〜ポートＣ２３に設定されている波長を、後述するポートＡ７９〜ポートＣ８１に設定される波長として記憶する。具体的に例を挙げると、記憶部７１は、「ポートＡ、λ１」「ポートＢ、λ２」「ポートＣ、λ３」などと記憶する（図３参照）。
【００６７】
受信光増幅ユニット７２は、特に本発明に密接に関連するものとしては、光増幅部７３を有し、受信した多重化光信号を増幅させる。光増幅部７３は、劣化した多重化光信号を増幅させる。具体的に説明すると、光増幅部７３は、送信側光波長多重装置１０から送信された多重化光信号が伝送されている間に光パワーレベルが劣化しているため、これを増幅させることで、多重化光信号を回復させる。
【００６８】
光波長分離ユニット７４は、受信した多重化光信号を分離する制御を行うものであり、特に本発明に密接に関連するものとしては、受信光波長分離部７５と、ＰＤ７６〜７８と、ポートＡ７９〜ポートＣ８１とを有する。受信光波長分離部７５は、多重化光信号をもとの波長に分離する。上記した例で具体的に説明すると、受信光波長分離部７５は、送信側光波長多重装置１０から送信された多重化光信号が、受信光増幅ユニット７２により増幅されて入力されると、当該多重化光信号を分離して、送信側光波長多重装置１０のポートＡ２１〜ポートＣ２３に設定されている波長λ１〜λ３（記憶部１１に記憶されている波長）の光信号を得る。
【００６９】
ＰＤ７６〜７８は、複数のポートそれぞれに接続され、分離後光信号の光パワーレベルを検出するＬＳＩ（Large  Scale  Integration）などの回路である。上記した例で具体的に説明すると、ＰＤ７６〜７８は、受信光波長分離部７５によって、当該多重化光信号が分離されて、送信側光波長多重装置１０のポートＡ２１〜ポートＣ２３に設定されている波長λ１〜λ３（記憶部１１に記憶されている波長）の分離後光信号が得られると、それぞれの分離後光信号の光パワーレベルを検出して、後述する光レベル監視部８５に出力する。
【００７０】
ポートＡ７９〜ポートＣ８１は、所定の波長があらかじめ設定され、受信光波長分離部７５により分離された分離後光信号が入力されて、後述する光波長変換部８２〜８４に当該分離後光信号を出力する。上記した例で具体的に説明すると、ポートＡ７９には、送信側光波長多重装置１０のポートＡ２１と同様の波長であるλ１が設定されており、受信光波長分離部７５により分離された波長λ１の分離後光信号がＰＤ７６を介して入力され、当該波長λ１の分離後光信号を、接続される光波長変換部８２に出力する。また、ポートＢ８０には、送信側光波長多重装置１０のポートＢ２２と同様の波長であるλ２が設定されており、受信光波長分離部７５により分離された波長λ２の分離後光信号がＰＤ７７を介して入力され、当該波長λ２の分離後光信号を、接続される光波長変換部８３に出力する。ここで、λ２の波長の光信号を生成したのは、送信側ではポートＣ２３に接続される光波長変換部１４であるが、受信側ではポートＢ８０に接続されるＰＤ７７に受信されてしまう。このように、送信側でポートＢ２２に間違った光波長変換部１３が接続されていることより、受信側で間違った受信がされてしまうこととなる。
【００７１】
光波長変換部８２〜８４は、分離した分離光信号をもとの波長の光信号に変換する。上記した例で具体的に説明すると、光波長変換部８２は、波長λ１に変換されているポートＡ７９に入力された分離後の分離後光信号を、端末装置１が送信したもとの波長に変換して、送信先である端末装置１に送信する。また、波長λ２が設定されているポートＢ２２には間違った光波長変換部１３（波長λ３に変換する）が接続されているため、端末装置２は、端末装置２にデータを送信しているものの、受信側では、端末装置３から送信されたλ２の波長がポートＢ８０に入力されてしまい、光波長変換部８３は、波長λ２の分離後光信号を変換して端末装置２に送信することとなる。同様に、端末装置２から送信されたλ３の光信号は、端末装置３に送信されてしまうこととなる。
【００７２】
光レベル監視部８５は、ＰＤ７６〜７８により検出された光パワーレベルを一時的に記憶および監視する。上記した例で具体的に説明すると、光レベル監視部８５は、受信光波長分離部７５により分離された分離後光信号が入力された分離後光信号の光パワーレベルがＰＤ７６〜７８によって検出されて通知されると、当該分離後光信号の光パワーレベルを一時的に記憶および監視する。
【００７３】
［光波長多重システムによる処理］
次に、図４を用いて、光波長多重システムによる処理を説明する。図４は、実施例１に係る光波長多重システムにおける誤接続検出処理の流れを示すフローチャートである。
【００７４】
図４に示すように、送信側光波長多重装置１０のＰＤ２４〜ＰＤ２６により各ポートに入力された変換後光信号の光パワーレベルを検出されると（ステップＳ４０１）、送信側光波長多重装置１０の光レベル監視制御部６０は、光パワーレベルが検出されたポートに接続される光スイッチ２７〜２９に対して、変換後光信号を光カプラ３０に入力するように光スイッチ２７〜２９を制御する（ステップＳ４０２）。
【００７５】
そして、送信側光波長多重装置１０の光カプラ３０は、入力された変換後光信号を全て多重化し（ステップＳ４０３）、光分岐部４２は、多重化された多重化光信号を光スペクトル監視部５０と、光増幅部４３とに分岐する（ステップＳ４０４）。
【００７６】
すると、送信側光波長多重装置１０の光スペクトル監視部５０は、分岐された分岐後光信号から、各ポートごとに設定された所定の波長の分岐後の光パワーレベルを検出する（ステップＳ４０５）。
【００７７】
続いて、送信側光波長多重装置１０の光レベル監視制御部６０は、ＰＤ２４〜ＰＤ２６により検出された変換後の光パワーレベルと、光スペクトル監視部５０により検出された分岐後の光パワーレベルとを比較し（ステップＳ４０６）、差異があるかないかを判定する（ステップＳ４０７）。
【００７８】
差異があると判定された場合（ステップＳ４０７肯定）、送信側光波長多重装置１０の光レベル監視制御部６０は、各ポートに設定される所定の波長とは異なる波長に変換する光波長変換部が誤接続されていると検出し（ステップＳ４０８）、差異がないと判定された場合、誤接続が発生していないと判定して、処理を終了する。
【００７９】
［実施例１による効果］
このように、実施例１によれば、複数のポートそれぞれに接続され、各ポートに入力された変換後光信号の光パワーレベルを検出し、複数のポートから入力された全ての変換後光信号を多重化して多重化光信号を生成し、複数のポートに設けられ、各ポートに入力された変換後光信号を入力し、変換後の光パワーレベルが検出されるまで、変換後光信号を入力しないように制御し、変換後の光パワーレベルが検出されると、変換後光信号を入力するように制御し、多重化光信号から、各ポートに設定されている所定の波長の多重化後の光パワーレベルを検出し、検出された変換後の光パワーレベルと、検出された多重化後の光パワーレベルとを比較し、比較した結果に差異が生じている場合に、各ポートに設定される所定の波長とは異なる波長に変換する光波長変換部が誤接続されていると検出するので、誤接続を検出することが可能であるとともに、システム構築にかかるコストを削減することが可能である。
【００８０】
例えば、入力手段として光スイッチを用い、光信号多重化手段として光カプラ（ＣＰＬ）を用いて、ポート誤接続を検出することができる結果、高価なアレイ導波路格子（ＡＷＧ）を用いて誤接続を検出する場合に比べて、システム構築にかかるコストを削減することが可能である。さらに、当該システムを停止させることなく、誤接続されている光ファイバーケーブルを正しい接続先に接続しなおしたり、光ファイバーケーブルに伝送されている波長に合わせて、ポートの設定を変更することが可能である。
【００８１】
また、実施例１によれば、多重化された多重化光信号を分岐し、分岐された多重化光信号から各ポートに設定されている所定の波長の多重化後の光パワーレベルを検出し、検出された変換後の光パワーレベルと、検出された分岐後の光パワーレベルとを比較し、比較した結果に差異が生じている場合に、各ポートに設定される所定の波長とは異なる波長に変換する光波長変換部が誤接続されていると検出するので、送信側の光波長多重システム内で、誤接続を検出することができる結果、システム構築にかかるコストをより削減することが可能である。
【００８２】
例えば、入力手段として光スイッチを用い、光信号多重化手段として光カプラ（ＣＰＬ）を用いた場合、誤接続により誤った波長の光信号も多重化されてしまうので、多重化光信号を送信する前に、送信側の光波長多重システム内で誤接続を検出することで、システム構築にかかるコストをより削減することが可能であるとともに、多重化された光信号および当該光波長多重システムの品質劣化を防止することが可能である。
【実施例２】
【００８３】
ところで、実施例１では、ＰＤにより検出された変換後光パワーレベルと、多重化後に分岐された分岐後光信号とを比較して、誤接続を検出する場合について説明したが、本発明はこれに限定されるものではなく、ＰＤにより検出された変換後光パワーレベルと、多重化後に分岐された分岐後光信号をさらに分離した分離後の光パワーレベルとを比較するようにしてもよい。
【００８４】
そこで、実施例２では、図５を用いて、ＰＤにより検出された変換後光パワーレベルと、多重化後に分岐された分岐後光信号をさらに分離した分離後の光パワーレベルとを比較して、誤接続を判定する場合について説明する。
【００８５】
［光波長多重システムの全体構成］
図５を用いて、実施例２に係る光波長多重システムの全体構成を説明する。図５は、実施例２に係る光波長多重システムの全体構成を説明するための図である。
【００８６】
図５に示したように、実施例１の図１と同様、実施例２に係る光波長多重システムは、送信側光波長多重装置と受信側光波長多重装置と端末装置とが、光ファイバーケーブルで相互に通信可能に接続されて構成される。そして、送信側光波長多重装置は、入力された入力光信号をあらかじめ設定された任意の波長に変換して変換後光信号を生成する複数の光波長変換部が、所定の波長があらかじめ設定された複数のポート（ポートＡ〜ポートＣ）に接続される。
【００８７】
具体的には、実施例１と同様に、ポートＡ〜ポートＣには、波長λ１〜λ３がそれぞれ設定される。そして、波長λ１が設定されたポートＡには、入力された光信号を波長λ１の光波長に変換する光波長変換部が接続されている。また、波長λ２が設定されたポートＢには、入力された光信号を波長λ３に変換する光波長変換部が接続されている。波長λ３が設定されたポートＣには、入力された光信号を波長λ２に変換する光波長変換部が接続されている。つまり、ポートＢとポートＣには、設定されている波長とは異なる波長に変換する光波長変換部が設定されている。
【００８８】
このような構成のもと、送信側光波長多重装置は、変換後の光パワーレベルが検出されるまで、光スイッチが変換後光信号を光カプラに入力しないように光スイッチを制御する。そして、端末装置１により送信された光信号を受信した送信側光波長多重装置の光波長変換部は、当該光信号を波長λ１の光信号に変換して、ポートＡに当該変換後光信号を出力する（図５の（１）と（２）参照）。
【００８９】
すると、送信側光波長多重装置は、複数のポートそれぞれに接続され、各ポートに入力された変換後光信号の光パワーレベルを検出する（図５の（３）参照）。具体的には、送信側光波長多重装置は、ポートＡに入力された波長λ１の変換後光信号の光パワーレベルを検出する。
【００９０】
続いて、送信側光波長多重装置は、変換後の光パワーレベルが検出されると、光スイッチが変換後光信号を光カプラに入力するように光スイッチを制御する（図５の（４）参照）。上記した例で具体的に説明すると、送信側光波長多重装置は、ポートＡに入力された変換後の光パワーレベルが検出されると、光スイッチ１が変換後光信号を光カプラに入力するように光スイッチ１を制御する。
【００９１】
そして、送信側光波長多重装置は、各ポートに入力された変換後光信号を光カプラに入力し、複数のポートから入力された全ての変換後光信号を多重化して多重化光信号を生成する（図５の（５）と（６）参照）。上記した例で具体的に説明すると、送信側光波長多重装置は、ポートＡに入力された波長λ１の変換後光信号を光カプラに入力し、入力された全ての変換後光信号を多重化して多重化光信号を生成して、送信光増幅ユニットに出力する。
【００９２】
その後、送信側光波長多重装置は、光カプラにより多重化された多重化光信号を分岐し、分岐した多重化光信号を、光波長分離部によって複数のポートに設定される所定の波長ごとにそれぞれ分離し、分離後の光パワーレベルを検出する（図５の（７）〜（９）参照）。上記した例で具体的に説明すると、送信側光波長多重装置は、光カプラにより多重化された多重化光信号を分岐し、分岐した多重化光信号を、光波長分離部によってポートＡに設定される波長λ１に分離して、分離した波長λ１の光パワーレベルを検出する。
【００９３】
そして、送信側光波長多重装置は、検出された変換後の光パワーレベルと、検出された分離後の光パワーレベルとを比較し、比較した結果に差異が生じている場合に、各ポートに設定される所定の波長とは異なる波長に変換する光波長変換部が誤接続されていると検出する（図５の（１０）参照）。上記した例で具体的に説明すると、送信側光波長多重装置は、ポートＡに入力された波長λ１に変換された変換後の光パワーレベルと、光カプラにより多重化された多重化光信号を分岐し、分岐された多重化光信号からポートＡに設定されている波長λ１の波長に分離した分離後の光パワーレベルとを比較する。続いて、送信側光波長多重装置は、検出した変換後の光パワーレベルと、分離後の光パワーレベルとの両方の光信号が、波長λ１に変換された光波長であることより、二つの光パワーレベルに差異がなく、波長λ１が設定されたポートＡに、光信号を波長λ１に変換する光波長変換部が正常に接続されていると判定する。
【００９４】
上記した手法と同様に、端末装置２から光信号が送信された場合に、送信側光波長多重装置は、端末装置２が接続される光波長変換部が誤接続されているか否かを判定する。
【００９５】
具体的に説明すると、端末装置２により送信された光信号を受信した送信側光波長多重装置の光波長変換部は、当該光信号を波長λ３の光信号に変換して、ポートＢに当該変換後光信号を出力し、ポートＢに入力された波長λ３の変換後光信号の光パワーレベルを検出する（図５の（１１）〜（１３）参照）。
【００９６】
その後、送信側光波長多重装置は、変換後の光パワーレベルが検出されると、光スイッチ２が変換後光信号を光カプラに入力するように光スイッチ２を制御し、ポートＡおよびポートＢに入力された変換後光信号を光カプラに入力し、ポートＡとポートＢから入力された全ての変換後光信号を多重化して多重化光信号を生成して、多重化された多重化光信号を分岐し、分岐された多重化光信号からポートＡとポートＢに設定されている波長λ１とλ２との光信号に分離して、分離後の光パワーレベルを検出する（図５の（１４）〜（１９）参照）。
【００９７】
そして、送信側光波長多重装置は、検出された変換後の光パワーレベルと、検出された分離後の光パワーレベルとを比較し、比較した結果に差異が生じている場合に、ポートＢに設定される波長λ２とは異なる波長に変換する光波長変換部が誤接続されていると検出する（図５の（２０）参照）。
【００９８】
具体的には、送信側光波長多重装置は、ポートＢに入力された波長λ３に変換された変換後の光パワーレベルと、光カプラにより多重化された多重化光信号を分岐し、分岐された多重化光信号からポートＢに設定されている波長λ２の光信号を分離して得られた分離後の光パワーレベルとを比較すると、異なる波長の光パワーレベルを検出していることになるので、両者の光パワーレベルに差異が検出すると判定する。そして、送信側光波長多重装置は、ポートＢに設定される波長λ２とは異なる波長に変換する光波長変換部が誤接続されていると検出する。
【００９９】
このように、実施例２に係る光波長多重システムは、多重化された多重化光信号を分岐し、分岐された多重化光信号を、複数のポートに設定される所定の波長ごとにそれぞれ分離し、分離された光信号から、各ポートに設定されている所定の波長の分離後の光パワーレベルを検出し、検出された変換後の光パワーレベルと、分離後の光パワーレベルとを比較し、比較した結果に差異が生じている場合に、各ポートに設定される所定の波長とは異なる波長に変換する光波長変換部が誤接続されていると検出するので、誤接続を検出することが可能であるとともに、コストをより削減することが可能である。
【０１００】
例えば、光分岐手段として非常に高価な光スペクトル監視装置を用いる代わりに、光波長分離手段として光スペクトル監視装置より安価なアレイ導波路格子（ＡＷＧ）を用いることで、システム構築にかかるコストをより削減することが可能である。
【実施例３】
【０１０１】
ところで、実施例１では、ＰＤにより検出された変換後光パワーレベルと、多重化後に分岐された分岐後光信号の光パワーレベルとを比較して、誤接続を検出する場合について説明したが、本発明はこれに限定されるものではなく、ＰＤにより検出された変換後光パワーレベルと、受信された多重化光信号の受信後の光パワーレベルとを比較するようにしてもよい。
【０１０２】
そこで、実施例３では、図５を用いて、ＰＤにより検出された変換後光パワーレベルと、受信された多重化光信号の受信後の光パワーレベルとを比較して、誤接続を判定する場合について説明する。
【０１０３】
［光波長多重システムの全体構成］
図６を用いて、実施例３に係る光波長多重システムの全体構成を説明する。図６は、実施例３に係る光波長多重システムの全体構成を説明するための図である。
【０１０４】
図６に示したように、実施例１の図１と同様、実施例３に係る光波長多重システムは、送信側光波長多重装置と受信側光波長多重装置と端末装置とが、光ファイバーケーブルで相互に通信可能に接続されて構成される。そして、送信側光波長多重装置は、入力された入力光信号をあらかじめ設定された任意の波長に変換して変換後光信号を生成する複数の光波長変換部が、所定の波長があらかじめ設定された複数のポート（ポートＡ〜ポートＣ）に接続される。
【０１０５】
具体的には、実施例１と同様、ポートＡ〜ポートＣには、波長λ１〜λ３がそれぞれ設定される。そして、波長λ１が設定されたポートＡには、入力された光信号を波長λ１の光波長に変換する光波長変換部が接続されている。また、波長λ２が設定されたポートＢには、入力された光信号を波長λ３に変換する光波長変換部が接続されている。波長λ３が設定されたポートＣには、入力された光信号を波長λ２に変換する光波長変換部が接続されている。つまり、ポートＢとポートＣには、設定されている波長とは異なる波長に変換する光波長変換部が設定されている。
【０１０６】
そして、受信側光波長多重装置のポートＸ〜ポートＺにも、送信側光波長多重装置のポートＡ〜ポートＣと同様の設定がされており、それぞれのポートには光信号をもとの波長に変換する光波長変換部が接続されている。具体的には、ポートＸには、波長λ１が設定されており、ポートＹには、波長λ２が設定されており、ポートＺには、波長λ３が設定されている。そして、ポートＸ〜ポートＺには、データ（光信号）を送信する端末装置１〜３が使用する波長に、受信した光信号を変換する光波長変換部がそれぞれ接続されている。
【０１０７】
このような構成において、送信側光波長多重装置は、変換後の光パワーレベルが検出されるまで、光スイッチが変換後光信号を光多重化部に入力しないように光スイッチを制御する。そして、端末装置１により送信された光信号を受信した送信側光波長多重装置の光波長変換部は、当該光信号を波長λ１の光信号に変換して、ポートＡに当該変換後光信号を出力する（図６の（１）と（２）参照）。
【０１０８】
すると、送信側光波長多重装置は、複数のポートそれぞれに接続され、各ポートに入力された変換後光信号の光パワーレベルを検出する（図６の（３）参照）。具体的には、送信側光波長多重装置は、ポートＡに入力された波長λ１の変換後光信号の光パワーレベルを検出する。
【０１０９】
続いて、送信側光波長多重装置は、変換後の光パワーレベルが検出されると、光スイッチが変換後光信号を光カプラに入力するように光スイッチを制御する（図６の（４）参照）。上記した例で具体的に説明すると、送信側光波長多重装置は、ポートＡに入力された変換後の光パワーレベルが検出されると、光スイッチ１が変換後光信号を光カプラに入力するように光スイッチ１を制御する。
【０１１０】
そして、送信側光波長多重装置は、各ポートに入力された変換後光信号を光カプラに入力し、複数のポートから入力された全ての変換後光信号を多重化して多重化光信号を生成する（図６の（５）と（６）参照）。上記した例で具体的に説明すると、送信側光波長多重装置は、ポートＡに入力された波長λ１に変換された変換後光信号を光カプラに入力し、入力された全ての変換後光信号を多重化して多重化光信号を生成して、送信光増幅ユニットに出力する。
【０１１１】
続いて、送信側光波長多重装置は、多重化されて分岐された多重化光信号を、伝送に必要な光パワーレベルまで増幅させて、受信側光波長多重装置に送信する（図６の（７）参照）。
【０１１２】
多重化光信号を受信した受信側光波長多重装置は、伝送において劣化した光パワーレベルを増幅させて、受信光波長分離部によって多重化光信号が所定の波長ごとに分離し（図６の（８）参照）、分離された波長λ１の光信号のパワーレベルを受信後光パワーレベルとして検出して、送信側光波長多重装置の光レベル監視制御部に送信する（図６の（９）参照）。上記した例で具体的に説明すると、受信側光波長多重装置は、受信した多重化光信号を増幅させて、受信光波長分離部によってポートＸに設定されている波長λ１の光信号に分離する。そして、受信側光波長多重装置は、分離して得られた波長λ１の受信後光パワーレベルを検出して、送信側光波長多重装置の光レベル監視制御部に送信する。
【０１１３】
続いて、送信側光波長多重装置の光レベル監視制御部は、検出された変換後の光パワーレベルと、検出された受信後の光パワーレベルとを比較し、比較した結果に差異が生じている場合に、各ポートに設定される所定の波長とは異なる波長に変換する光波長変換部が誤接続されていると検出する（図６の（１０）参照）。上記した例で具体的に説明すると、送信側光波長多重装置は、ポートＡに入力された波長λ１に変換された変換後の光パワーレベルと、受信された多重光信号から分離して得られた波長λ１の受信後の光パワーレベルとを比較する。続いて、送信側光波長多重装置は、検出した変換後の光パワーレベルと、受信後の光パワーレベルとの両方の光信号が波長λ１に変換された光波長であることより、二つの光パワーレベルに差異がなく、波長λ１が設定されたポートＡに、光信号を波長λ１に変換する光波長変換部が正常に接続されていると判定する。
【０１１４】
上記した手法と同様に、端末装置２から光信号が送信された場合に、送信側光波長多重装置は、端末装置２が接続される光波長変換部２が誤接続されているか否かを判定する。
【０１１５】
具体的に説明すると、端末装置２により送信された光信号を受信した送信側光波長多重装置の光波長変換部は、当該光信号を波長λ３の光信号に変換して、ポートＢに当該変換後光信号を出力し、ポートＢに入力された波長λ３の変換後光信号の光パワーレベルを検出する（図６の（１１）〜（１３）参照）。
【０１１６】
その後、送信側光波長多重装置は、変換後の光パワーレベルが検出されると、光スイッチ２が変換後光信号を光カプラに入力するように光スイッチ２を制御し、ポートＡおよびポートＢに入力された変換後光信号を光カプラに入力し、ポートＡとポートＢから入力された全ての変換後光信号を多重化して多重化光信号を生成して、多重化光信号を受信側光波長多重装置に送信する（図６の（１４）〜（１７）参照）。
【０１１７】
続いて、多重化光信号を受信した受信側光波長多重装置は、受信した多重化光信号からポートＸとポートＹに設定されている波長λ１とλ２の光信号に分離し、分離したそれぞれの光パワーレベルを検出して、送信側光波長多重装置の光レベル監視制御部に送信する（図６の（１８）と（１９）参照）。
【０１１８】
そして、送信側光波長多重装置の光レベル監視制御部は、検出された変換後の光パワーレベルと、受信した受信後の光パワーレベルとを比較し、比較した結果に差異が生じている場合に、ポートＢに設定される波長λ２とは異なる波長に変換する光波長変換部が誤接続されていると検出する（図６の（２０）参照）。
【０１１９】
具体的には、送信側光波長多重装置の光レベル監視制御部は、ポートＢに入力された波長λ３に変換された変換後の光パワーレベルと、受信された分離された波長λ２の光パワーレベルとを比較することになり、異なる波長の光パワーレベルを検出していることより、両者の光パワーレベルに差異が検出されたと判定する。そして、送信側光波長多重装置は、ポートＢに設定される波長λ２とは異なる波長に変換する光波長変換部が誤接続されていると検出する。
【０１２０】
このように、実施例３によれば、検出された変換後の光パワーレベルと、多重化光信号の受信側装置において、受信された多重化光信号が所定の波長ごとに分離された後の受信後光パワーレベルを受信して、受信後の光パワーレベルとを比較し、比較した結果に差異が生じている場合に、各ポートに設定される所定の波長とは異なる波長に変換する光波長変換部が誤接続されていると検出するので、誤接続を検出することが可能であるとともに、コストをさらに削減することが可能である。
【０１２１】
例えば、光波長多重システムで一般的に用いられる受信した多重化光信号を分離して、分離した波長ごとに検出される分離後光パワーレベルをフィードバックで受信して、誤接続を検出するので、通常の光波長多重システムに新たに機能を追加する必要がない結果、コストをさらに削減することが可能である。
【実施例４】
【０１２２】
ところで、実施例１では、変換後光信号を光カプラへ入力する手段として光スイッチを用いた場合について説明したが、本発明はこれに限定されるものではなく、光スイッチではなく、ＶＯＡ（Variable  Optical  Attenuator）を用いてもよい。
【０１２３】
そこで、実施例４では、図７を用いて、変換後光信号を光カプラへ入力する手段として、光スイッチの代わりにＶＯＡを用いた場合について説明する。図７は、実施例４に係る光波長多重システムの全体構成を説明するための図である。
【０１２４】
図７に示すように、実施例１の図１と同様、実施例４に係る光波長多重システムは、送信側光波長多重装置と受信側光波長多重装置と端末装置とが、光ファイバーケーブルで相互に通信可能に接続されて構成される。そして、送信側光波長多重装置は、実施例１と同様、入力された入力光信号をあらかじめ設定された任意の波長に変換して変換後光信号を生成する複数の光波長変換部が、所定の波長があらかじめ設定された複数のポート（ポートＡ〜ポートＣ）に接続される。
【０１２５】
具体的には、実施例１と同様、ポートＡ〜ポートＣには、波長λ１〜λ３がそれぞれ設定される。そして、波長λ１が設定されたポートＡには、入力された光信号を波長λ１の光波長に変換する光波長変換部が接続されている。また、波長λ２が設定されたポートＢには、入力された光信号を波長λ３に変換する光波長変換部が接続されている。波長λ３が設定されたポートＣには、入力された光信号を波長λ２に変換する光波長変換部が接続されている。つまり、ポートＢとポートＣには、設定されている波長とは異なる波長に変換する光波長変換部が設定されている。
【０１２６】
そして、実施例１と異なる点は、送信側光波長多重装置は、変換後の光パワーレベルが検出されるまで、ＶＯＡの減衰量を最大に設定しておき、変換後の光パワーレベルが検出されると、各ポートごとに、光カプラに入力される光パワーレベルが一定になるように減衰量を減少させる点である。
【０１２７】
具体的に説明すると、実施例１と同様、端末装置１から光信号が入力されると、送信側光波長多重装置の光波長変換部は、当該光信号を波長λ１に変換してポートＡに入力し、送信側光波長多重装置は、ポートＡから受け付け変換後光信号の光パワーレベルを検出する（図７の（１）〜（３）参照）。
【０１２８】
そして、送信側光波長多重装置は、変換後の光パワーレベルが検出されると、ＶＯＡ１が変換後光信号を光カプラに入力するようにＶＯＡ１を制御し、各ポートに入力された変換後光信号を光カプラに入力し、複数のポートから入力された全ての変換後光信号を光カプラによって多重化して多重化光信号を生成し、当該多重化光信号を光分岐部によって分岐して、分岐された多重化光信号から各ポートに設定されている所定の波長の多重化後の光パワーレベルを検出し、検出された変換後の光パワーレベルと、検出された分岐後の光パワーレベルとを比較し、比較した結果に差異が生じている場合に、ポート１に設定される所定の波長とは異なる波長に変換する光波長変換部が誤接続されていると検出する（図７の（４）〜（９）参照）。
【０１２９】
すると、送信側光波長多重装置は、光カプラに入力される光パワーレベルが一定になるようにＶＯＡ１の減衰量を減少させる（図７の（１０）参照）。これ以降、端末装置１から送信される光信号は、徐々に減衰量を減少させて光カプラに入力され、多重化される。
【０１３０】
そして、同様に、端末装置２から入力された光信号は、波長λ３に変換されて光パワーレベルが検出された後、多重化されて分岐された分岐後光パワーレベルが検出されて、ポート２に設定される所定の波長とは異なる波長に変換する光波長変換部が誤接続されていると検出する（図７の（１１）〜（１９）参照）。この場合、誤接続が検出されたことより、送信側光波長多重装置は、ＶＯＡ２の減衰量を減少させない。その後、上記した手法で、誤接続が検出されなくなると（正しく接続されると）、送信側光波長多重装置は、ＶＯＡ２の減衰量を減少させる。
【０１３１】
このように、実施例４によれば、変換後の光パワーレベルが検出されるまで、減衰量を最大に設定しておき、変換後の光パワーレベルが検出されると、各ポートごとに、入力される光パワーレベルが一定になるように減衰量を減少させるので、力光信号に対する減衰量が任意に設定され、設定した減衰量に従って、入力光信号の光パワーレベルを減衰させて入力する場合、多重化された光信号および当該光波長多重システムの品質劣化を防止することが可能である。例えば、光パワーレベルが異なる波長を多重化する場合に比べて、光パワーレベルを一定にして多重化した方が、品質の良い多重化光信号を送信することができる。
【実施例５】
【０１３２】
ところで、実施例１〜４では、誤接続を検出する場合についてのみ説明したが、本発明はこれに限定されるものではなく、誤接続を検出して、正しい接続先を利用者（保守者）に通知するようにしてもよい。
【０１３３】
そこで、実施例５では、図８を用いて、誤接続を検出して、正しい接続先を利用者（保守者）に通知するとともに、誤接続が検出されたポートに接続される光スイッチを「ＯＦＦ」にする場合について説明する。図８は、実施例５に係る光波長多重システムにおける誤接続判定処理および接続先通知処理の流れを示すフローチャートである。
【０１３４】
図８に示すように、利用者などにより光波長多重システムが起動されると（ステップＳ８０１）、光波長多重システムは、入力ポート（PORT#1〜PORT#i（最大ポート数））の接続状態STATUS〔1…i〕を「未設定」にするとともに、光スイッチの状態（SW〔i〕）を「ＯＦＦ」にする（ステップＳ８０２）。そして、光波長多重システムは、ループ処理であるステップＳ８０３〜Ｓ８２５までの処理を、ポート１から最大ポート数（PORT#i）まで行う（ステップＳ８０３）。
【０１３５】
その後、光波長多重システムは、該当入力ポート（PORT#i）の運用状態IS_OOS〔i〕が、サービス状態を示す「InService」であるか否かを判定する（ステップＳ８０４）。
【０１３６】
そして、運用状態IS_OOS〔i〕が「InService」である場合（ステップＳ８０４肯定）、光波長多重システムは、該当ポートの入力状態（INDOWN〔i〕）がON状態を示す「InDown」であるか否かを判定する（ステップＳ８０５）。
【０１３７】
続いて、該当ポートの入力状態（INDOWN〔i〕）が「InDown」でない場合（ステップＳ８０５否定）、光波長多重システムは、該当PORT#iの接続状態（STATUS〔i〕）が誤接続であるか否かを判定する（ステップＳ８０６）。
【０１３８】
そして、該当PORT#iの接続状態（STATUS〔i〕）が誤接続でない場合（ステップＳ８０６否定）、光波長多重システムは、該当入力ポート（PORT#i）の接続状態（STATUS〔i〕）が未設定であるか否かを判定する（ステップＳ８０７）。
【０１３９】
該当入力ポート（PORT#i）の接続状態（STATUS〔i〕）が未設定でない場合（ステップＳ８０７否定）、光波長多重システムは、「ｉ」を「１」だけ増加させて、「ｉ」が最大ポート数でないなら、次のポートに対して上記した判定を行う（ステップＳ８２５）。
【０１４０】
一方、該当入力ポート（PORT#i）の接続状態（STATUS〔i〕）が未設定である場合（ステップＳ８０７肯定）、光波長多重システムは、該当入力ポートに接続される光スイッチSW〔i〕を「ON」にする（ステップＳ８０８）。
【０１４１】
続いて、光波長多重システムは、光波長増幅ユニットの入力状態（AMP_INDOWN）が「InDown」であるか否かを判定する（ステップＳ８０９）。
【０１４２】
そして、光波長増幅ユニットの入力状態（AMP_INDOWN）が「InDown」である場合（ステップＳ８０９肯定）、光波長多重システムは、保守者（利用者）へ「光増幅ユニット接続異常」を通知し（ステップＳ８１０）、全入力ポートの接続状態（STATUS［1…i］）を「未設定」にし、全入力ポートに接続される光スイッチ（SW［1…i］）を「OFF」にして（ステップＳ８１１）、ステップＳ８２５の処理を行う。
【０１４３】
一方、光波長増幅ユニットの入力状態（AMP_INDOWN）が「InDown」でない場合（ステップＳ８０９否定）、光波長多重システムは、送信側光波長多重装置の光スペクトル監視部への光入力状態（INDOWN）が「InDown」であるか否かを判定する（ステップＳ８１２）。
【０１４４】
そして、光スペクトル監視部への光入力状態（INDOWN）が「InDown」であると判定された場合（ステップＳ８１２肯定）、光波長多重システムは、保守者（利用者）へ「光スペクトル監視部接続異常」を通知する通知処理を行い（ステップＳ８１３）、ステップＳ８１１以降の処理を行う。
【０１４５】
一方、光スペクトル監視部への光入力状態（INDOWN）が「InDown」でないと判定された場合（ステップＳ８１２否定）、光波長多重システムは、該当入力ポートの運用波長状態λ〔i〕と、光スペクトル監視部からの波長（λx）との比較を行う（ステップＳ８１４）。
【０１４６】
λ〔i〕と〔λx〕とが一致した場合（ステップＳ８１４肯定）、光波長多重システムは、該当入力ポートの接続状態（STATUS〔i〕）を「正常」とし（ステップＳ８１５）、保守者へ「該当入力ポートPORT#i  正常」を通知する通知処理を行って、ステップＳ８２５の処理を行う。
【０１４７】
一方、λ〔i〕と〔λx〕とが一致しない場合（ステップＳ８１４否定）、光波長多重システムは、該当入力ポートの接続状態（STATUS〔i〕）を「誤接続」とする（ステップＳ８１７）。
【０１４８】
その後、光波長多重システムは、入力ポート（ｎ）（ｎ＝１・・・PORT_MAX（ポート最大数））の運用波長（λn）と、光スペクトル監視部からの波長〔λx〕との比較を行う（ステップＳ８１８〜ステップＳ８２０）。
【０１４９】
運用波長（λn）と波長〔λx〕とが一致した場合（ステップＳ８１９肯定）、光波長多重システムは、保守者へ「該当入力ポート（PORT#i）  接続先ポート（PORT#n）」を通知する通知処理を行って（ステップＳ８２１）、接続される光スイッチ（SW〔i〕）を「OFF」にして（ステップＳ８２４）、ステップＳ８２５の処理を行う。
【０１５０】
一方、運用波長（λn）と波長〔λx〕とが一致しない場合（ステップＳ８１９否定）、光波長多重システムは、保守者へ「該当入力ポート（PORT#i）  接続波長（λx）は運用波長エラー」を通知する通知処理を行い（ステップＳ８２２）、接続される光スイッチ（SW〔i〕）を「OFF」にして（ステップＳ８２４）、ステップＳ８２５の処理を行う。
【０１５１】
ステップＳ８０６に戻り、該当PORT#iの接続状態（STATUS〔i〕）が誤接続である場合（ステップＳ８０６肯定）、光波長多重システムは、接続される光スイッチ（SW〔i〕）を「OFF」にして（ステップＳ８２４）、ステップＳ８２５の処理を行う。
【０１５２】
同様に、ステップＳ８０５に戻り、該当ポートの入力状態（INDOWN〔i〕）が「InDown」である場合（ステップＳ８０５肯定）、光波長多重システムは、接続される光スイッチ（SW〔i〕）を「OFF」にして（ステップＳ８２４）、ステップＳ８２５の処理を行う。
【０１５３】
一方、ステップＳ８０４に戻り、運用状態IS_OOS〔i〕が「InService」でない場合（ステップＳ８０４否定）、光波長多重システムは、入力ポートの接続状態（STATUS〔i〕）を「未設定」にして（ステップＳ８２３）、ステップＳ８２４以降の処理を行う。
【０１５４】
そして、ステップＳ８２５の処理では、「i」を「１」ずつ増やしていき、「i」が最大数「n」になるまでステップＳ８０４〜ステップＳ８２４の処理を行い、「i」が最大数「n」になると、光波長多重システムは、処理を終了する。
【０１５５】
このように、実施例５によれば、誤接続が検出された場合に、ポートに接続される光スイッチに対して、変換後光信号を光カプラに入力しないように制御するので、多重化する際に、誤って入力された波長の光信号の混入を防止することができる結果、多重化された光信号および当該光波長多重システムの品質劣化を防止することが可能である。
【０１５６】
例えば、光信号切替手段として光スイッチまたはＶＯＡを用いた場合、誤って入力された波長の光信号も光スイッチを通過してしまい、光信号多重化手段によって誤った光信号が混入された状態で多重化されるために、誤接続されているポートに接続される光信号切替手段の状態を停止状態にすることで、多重化する際に、誤って入力された波長の光信号の混入を防止することができる結果、多重化された光信号および当該光波長多重システムの品質劣化を防止することが可能である。
【０１５７】
また、実施例５によれば、誤接続を検出した場合に、複数のポートそれぞれに設定されている所定の波長を検索して、ポートに誤接続されている光波長変換部の正常な接続先ポートを検出するので、誤接続を検出するだけでなく、正常に接続されるべきポートを特定することができる結果、誤接続が発生した場合の利用者の負担を軽減するとともに、迅速な対応が可能である。
【０１５８】
例えば、ポート１〜５に波長λ１〜λ５がそれぞれ設定されていて、ポート２が間違ってλ３の光ファイバーケーブルが接続された場合、ポート２が誤接続されていると検出するだけでなく、ポート２に間違って接続された光ファイバーケーブルの接続先がポート３であると特定して、利用者に検出、通知することができる結果、誤接続が発生した場合の利用者の負担を軽減するとともに、迅速な対応が可能である。
【実施例６】
【０１５９】
さて、これまで本発明の実施例について説明したが、本発明は上述した実施例以外にも、種々の異なる形態にて実施されてよいものである。そこで、以下に示すように、（１）ポート数、（２）システム構成等、にそれぞれ区分けして異なる実施例を説明する。
【０１６０】
（１）ポート数
例えば、実施例１〜５では、光波長多重システムのポート数が、三つのポートを有している場合について説明したが、本発明はこれに限定されるものではなく、四つのポートを有していてもよく。ポートの数に制限はない。また、ポートの数だけ、各ポートに接続される光波長変換部が接続されていてもよく、一つの光波長変換部が複数のポートに接続されていてもよい、一つの光波長変換部が複数のポートに接続されている場合、各ポートには異なる波長が設定されているため、光波長変換部は、複数の光波長が設定されており、各ポートには異なる波長に変換した光信号を入力することとなる。
【０１６１】
（２）システム構成等
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる（例えば、光レベル監視制御部を入力制御部と誤接続検出部に分割するなど）。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【０１６２】
また、本実施例において説明した各処理のうち、自動的におこなわれるものとして説明した処理（例えば、多重化光信号の増幅処理や分離処理など）の全部または一部を手動的におこなうこともでき、あるいは、手動的におこなわれるものとして説明した処理（例えば、ポートに波長を設定する処理など）の全部または一部を公知の方法で自動的におこなうこともできる。この他、上記文書中や図面中で示した処理手順、制御手順、具体的名称、各種のデータやパラメータを含む情報（例えば、図３など）については、特記する場合を除いて任意に変更することができる。
【０１６３】
（付記１）入力された入力光信号をあらかじめ設定された任意の波長に変換して変換後光信号を生成する複数の光波長変換部が、所定の波長があらかじめ設定された複数のポートに接続され、前記複数の光波長変換部により生成された変換後光信号を多重化した多重化光信号を生成して送信するとともに、受信した前記多重化光信号を所定の波長ごとに分離する光波長多重システムであって、
前記複数のポートそれぞれに接続され、前記各ポートに入力された前記変換後光信号の光パワーレベルを検出する複数の第一の光パワーレベル検出手段と、
前記複数のポートから入力された全ての前記変換後光信号を多重化して多重化光信号を生成する光信号多重化手段と、
前記複数のポートに設けられ、前記各ポートに入力された変換後光信号を前記光信号多重化手段に入力する複数の入力手段と、
前記第一の光パワーレベル検出手段により前記変換後の光パワーレベルが検出されるまで、前記変換後光信号を前記光信号多重化手段に入力しないように前記入力手段を制御し、前記第一の光パワーレベル検出手段により前記変換後の光パワーレベルが検出されると、前記変換後光信号を前記光信号多重化手段に入力するように前記入力手段を制御する入力制御手段と、
前記多重化光信号から、前記各ポートに設定されている所定の波長の多重化後の光パワーレベルを検出する第二の光パワーレベル検出手段と、
前記第一の光パワーレベル検出手段により検出された変換後の光パワーレベルと、前記第二の光パワーレベル検出手段により検出された多重化後の光パワーレベルとを比較し、比較した結果に差異が生じている場合に、前記各ポートに設定される所定の波長とは異なる波長に変換する光波長変換部が誤接続されていると検出する誤接続検出手段と、
を備えたことを特徴とする光波長多重システム。
【０１６４】
（付記２）前記光信号多重化手段により多重化された多重化光信号を分岐する光分岐手段をさらに備え、
前記第二の光パワーレベル検出手段は、前記光分岐手段により分岐された分岐後の光信号から前記各ポートに設定されている所定の波長の分岐後の光パワーレベルを検出し、
前記誤接続検出手段は、前記第一の光パワーレベル検出手段により検出された変換後の光パワーレベルと、前記第二の光パワーレベル検出手段により検出された分岐後の光パワーレベルとを比較し、比較した結果に差異が生じている場合に、前記各ポートに設定される所定の波長とは異なる波長に変換する光波長変換部が誤接続されていると検出することを特徴とする付記１に記載の光波長多重システム。
【０１６５】
（付記３）前記光多重化手段により多重化された多重化光信号を分岐する光分岐手段と、
前記光分岐手段により分岐された前記多重化光信号を、前記複数のポートに設定される所定の波長ごとにそれぞれ分離する多重化後光信号分離手段とをさらに備え、
前記第二の光パワーレベル検出手段は、前記多重化光信号分離手段により分離された光信号から、前記各ポートに設定されている所定の波長の分離後の光パワーレベルを検出し、
前記誤接続検出手段は、前記第一の光パワーレベル検出手段により検出された変換後の光パワーレベルと、前記第二の光パワーレベル検出手段により検出された分離後の光パワーレベルとを比較し、比較した結果に差異が生じている場合に、前記各ポートに設定される所定の波長とは異なる波長に変換する光波長変換部が誤接続されていると検出することを特徴とする付記１に記載の光波長多重システム。
【０１６６】
（付記４）前記誤接続検出手段は、前記多重化後光信号の受信側装置において、受信された多重化光信号が前記所定の波長ごとに分離された後の受信後光パワーレベルを受信し、受信した前記受信後光パワーレベルと、前記第一の光パワーレベル検出手段により検出された変換後の光パワーレベルとを比較し、比較した結果に差異が生じている場合に、前記各ポートに設定される所定の波長とは異なる波長に変換する光波長変換部が誤接続されていると検出することを特徴とする付記１に記載の光波長多重システム。
【０１６７】
（付記５）前記複数の入力手段は、前記入力光信号に対する減衰量が任意に設定され、設定した減衰量に従って、前記入力光信号の光パワーレベルを減衰させて前記光信号多重化手段に入力するものであって、
前記入力制御手段は、前記第一の光パワーレベル検出手段により前記変換後の光パワーレベルが検出されるまで、前記入力手段の減衰量を最大に設定しておき、前記第一の光パワーレベル検出手段により前記変換後の光パワーレベルが検出されると、前記各ポートごとに、前記光信号多重化手段に入力される光パワーレベルが一定になるように前記減衰量を減少させることを特徴とする付記１〜４のいずれか一つに記載の光波長多重システム。
【０１６８】
（付記６）前記入力制御手段は、前記誤接続検出手段により前記誤接続が検出された場合に、前記ポートに接続される前記入力手段に対して、前記変換後光信号を前記光信号多重化手段に入力しないように制御することを特徴とする付記１〜５のいずれか一つに記載の光波長多重システム。
【０１６９】
（付記７）前記誤接続検出手段は、前記誤接続を検出した場合に、前記複数のポートそれぞれに設定されている前記所定の波長を検索して、前記ポートに誤接続されている前記光波長変換部の正常な接続先ポートを検出することを特徴とする付記１〜６のいずれか一つに記載の光波長多重システム。
【０１７０】
（付記８）入力された入力光信号をあらかじめ設定された任意の波長に変換して変換後光信号を生成する複数の光波長変換部が、所定の波長があらかじめ設定された複数のポートに接続され、前記複数の光波長変換部により生成された変換後光信号を多重化した多重化光信号を生成して送信するとともに、受信した前記多重化光信号を所定の波長ごとに分離することに適した光波長多重方法であって、
前記複数のポートそれぞれに接続され、前記各ポートに入力された前記変換後光信号の光パワーレベルを検出する複数の第一の光パワーレベル検出工程と、
前記複数のポートから入力された全ての前記変換後光信号を多重化して多重化光信号を生成する光信号多重化工程と、
前記複数のポートに設けられ、前記各ポートに入力された変換後光信号を前記光信号多重化工程に入力する複数の入力工程と、
前記第一の光パワーレベル検出工程により前記変換後の光パワーレベルが検出されるまで、前記変換後光信号を前記光信号多重化工程に入力しないように前記入力工程を制御し、前記第一の光パワーレベル検出工程により前記変換後の光パワーレベルが検出されると、前記変換後光信号を前記光信号多重化工程に入力するように前記入力工程を制御する入力制御工程と、
前記多重化光信号から、前記各ポートに設定されている所定の波長の多重化後の光パワーレベルを検出する第二の光パワーレベル検出工程と、
前記第一の光パワーレベル検出工程により検出された変換後の光パワーレベルと、前記第二の光パワーレベル検出工程により検出された多重化後の光パワーレベルとを比較し、比較した結果に差異が生じている場合に、前記各ポートに設定される所定の波長とは異なる波長に変換する光波長変換部が誤接続されていると検出する誤接続検出工程と、
を含んだことを特徴とする光波長多重方法。
【０１７１】
（付記９）入力された入力光信号をあらかじめ設定された任意の波長に変換して変換後光信号を生成する複数の光波長変換手順が、所定の波長があらかじめ設定された複数のポートに接続され、前記複数の光波長変換手順により生成された変換後光信号を多重化した多重化光信号を生成して送信するとともに、受信した前記多重化光信号を所定の波長ごとに分離することをコンピュータに実行させる光波長多重プログラムであって、
前記複数のポートそれぞれに接続され、前記各ポートに入力された前記変換後光信号の光パワーレベルを検出する複数の第一の光パワーレベル検出手順と、
前記複数のポートから入力された全ての前記変換後光信号を多重化して多重化光信号を生成する光信号多重化手順と、
前記複数のポートに設けられ、前記各ポートに入力された変換後光信号を前記光信号多重化手順に入力する複数の入力手順と、
前記第一の光パワーレベル検出手順により前記変換後の光パワーレベルが検出されるまで、前記変換後光信号を前記光信号多重化手順に入力しないように前記入力手順を制御し、前記第一の光パワーレベル検出手順により前記変換後の光パワーレベルが検出されると、前記変換後光信号を前記光信号多重化手順に入力するように前記入力手順を制御する入力制御手順と、
前記多重化光信号から、前記各ポートに設定されている所定の波長の多重化後の光パワーレベルを検出する第二の光パワーレベル検出手順と、
前記第一の光パワーレベル検出手順により検出された変換後の光パワーレベルと、前記第二の光パワーレベル検出手順により検出された多重化後の光パワーレベルとを比較し、比較した結果に差異が生じている場合に、前記各ポートに設定される所定の波長とは異なる波長に変換する光波長変換手順が誤接続されていると検出する誤接続検出手順と、
をコンピュータに実行させることを特徴とする光波長多重プログラム。
【産業上の利用可能性】
【０１７２】
以上のように、本発明に係る光波長多重システムは、入力された入力光信号をあらかじめ設定された任意の波長に変換して変換後光信号を生成する複数の光波長変換部が、所定の波長があらかじめ設定された複数のポートに接続され、複数の光波長変換部により生成された変換後光信号を多重化した多重化光信号を生成して送信するとともに、受信した多重化光信号を所定の波長ごとに分離することに有用であり、特に、誤接続を検出することが可能であるとともに、システム構築にかかるコストを削減することに適する。
【図面の簡単な説明】
【０１７３】
【図１】実施例１に係る光波長多重システムの概要と特徴を説明するための図である。
【図２】実施例１に係る光波長多重システムの構成を示すブロック図である。
【図３】記憶部に記憶される情報の例を示す図である。
【図４】実施例１に係る光波長多重システムにおける誤接続検出処理の流れを示すフローチャートである。
【図５】実施例２に係る光波長多重システムの全体構成を説明するための図である。
【図６】実施例３に係る光波長多重システムの全体構成を説明するための図である。
【図７】実施例４に係る光波長多重システムの全体構成を説明するための図である。
【図８】実施例５に係る光波長多重システムにおける誤接続判定処理および接続先通知処理の流れを示すフローチャートである。
【符号の説明】
【０１７４】
１０  送信側光波長多重装置
１１  記憶部
１２  光波長変換部
１３  光波長変換部
１４  光波長変換部
２０  光波長多重ユニット
２１  ポートＡ
２２  ポートＢ
２３  ポートＣ
２４  ＰＤ
２５  ＰＤ
２６  ＰＤ
２７  光スイッチ
２８  光スイッチ
２９  光スイッチ
３０  光カプラ
４０  送信光増幅ユニット
４１  ＰＤ
４２  光分岐部
４３  光増幅部
５０  光スペクトル監視部
６０  光レベル監視制御部
７０  受信側光波長多重装置
７１  記憶部
７２  受信光増幅ユニット
７３  光増幅部
７４  光波長分離ユニット
７５  受信光波長分離部
７６  ＰＤ
７７  ＰＤ
７８  ＰＤ
７９  ポートＡ
８０  ポートＢ
８１  ポートＣ
８２  光波長変換部
８３  光波長変換部
８４  光波長変換部
８５  光レベル監視部
【図１】
2008147968.tif 000003
【図２】
2008147968.tif 000004
【図３】
2008147968.tif 000005
【図４】
2008147968.tif 000006
【図５】
2008147968.tif 000007
【図６】
2008147968.tif 000008
【図７】
2008147968.tif 000009
【図８】
2008147968.tif 000010